(57)【要約】【課題】  安全性についての要求事項を満たし、容易に開くことを防ぐことができるような留め具を提供する。【解決手段】  本発明は、３つの細長部品と、及び細長部品のうちの１つにヒンジ付けされているカバーとを有する腕輪用留め具に関する。留め具は、第１及び第２の押し部品及び安全機構を備える。安全機構は、押し部品の一方と、この押し部品とは反対側のカバーの一方のフラップとの両方に圧力が同時にかけられたときに、留め具を開けさせるカバーの横方向の運動を防ぐ。本発明によると、安全機構は、カバーフラップ間で受けられるスペーサーを有し、押し部品の一方と、この押し部品とは反対側のカバーの一方のフラップとの両方に圧力が同時にかけられたときに、スペーサーの両端は、カバーフラップに当接して、留め具を開けさせるカバーの横方向の運動を防ぐ。【選択図】  図２
2016083352.tif 000002
【特許請求の範囲】
【請求項１】
剛体である第１の細長部品（１）と、第１及び第２の押し部品（３２０、３３０）と、ロック機構と、及び安全機構とを有する腕輪用留め具であって、
前記第１の細長部品（１）の第１の端（１０）は、折り畳み用の第２の細長部品（２）の第１の端（２０）にヒンジ付けされており、前記第２の細長部品（２）は、その第２の端（２１）において第１の腕輪ストランドを受けるように構成しており、
前記第１の細長部品（１）の第２の端（１１）は、折り畳み用の第３の細長部品（３）の第１の端（３０）にヒンジ付けされており、
この第１の端（３０）から前記第３の細長部品（３）の第１及び第２のブランチ（３２、３３）が延在し、
この第１及び第２のブランチ（３２、３３）には、第１及び第２のフラップ（４０、４１）を備えるカバー（４）がヒンジ付けされており、この第１及び第２のフラップ（４０、４１）は、前記カバー（４）が覆う方向及び第２の腕輪ストランドを保持する手段に対して垂直に延在し、
前記第３の細長部品（３）は、当該留め具が閉位置にあるときに、前記第２の細長部品（２）の前記第２の端（２１）を部分的に覆い、
前記第１及び第２の押し部品（３２０、３３０）は、前記第１及び第２のブランチ（３２、３３）と一体化されており、
前記ロック機構は、前記押し部品（３２０、３３０）に圧力が同時にかけられなければ、前記第１の細長部品（１）上でロックされている前記第３の細長部品（３）をロックされたまま保持するように構成し、
前記安全機構は、前記押し部品（３２０、３３０）の一方と、この押し部品（３２０、３３０）とは反対側の前記カバー（４）の一方のフラップ（４０、４１）との両方に同時に圧力がかけられたときに、当該留め具が外れるような前記カバー（４）の横方向の運動を防ぎ、
前記安全機構は、前記第２の細長部品（２）によって支えられるスペーサー（２３）を有し、このスペーサー（２３）は、前記カバー（４）の前記フラップ（４０、４１）の間で受けられ、
前記スペーサー（２３）の両端は、前記押し部品（３２０、３３０）の一方と、この押し部品（３２０、３３０）とは反対側の前記カバー（４）の一方のフラップ（４０、４１）との両方に同時に圧力がかけられたときには、前記カバー（４）の前記フラップ（４０、４１）に当接し、
これによって、当該留め具を外すような前記カバー（４）の横方向の運動を防ぐ
ことを特徴とする腕輪用留め具。
【請求項２】
前記スペーサー（２３）は、前記第２の細長部品（２）の前記第２の端（２１）に固定される
ことを特徴とする請求項１に記載の腕輪用留め具。
【請求項３】
前記スペーサー（２３）は、前記第１の腕輪ストランドに対するアンカー点として用いられる
ことを特徴とする請求項１に記載の腕輪用留め具。
【請求項４】
当該留め具が閉位置にあるときに、前記第１の細長部品（１）に対してロックされている前記第２の細長部品（２）を保持するロック手段を有する
ことを特徴とする請求項１に記載の腕輪用留め具。
【請求項５】
前記ロック機構は、前記第１の細長部品（１）と一体化されている第１のキャッチ対（１４、１５）と、及び前記第３の細長部品（３）と一体化されている第２のキャッチ対（３４、３５）とを有する
ことを特徴とする請求項１に記載の腕輪用留め具。
【請求項６】
前記第２のキャッチ対（３４、３５）は、前記ブランチ（３２、３３）と一体化されている
ことを特徴とする請求項５に記載の腕輪用留め具。
【請求項７】
前記ブランチ（３２、３３）は、その長さのすべて又は一部にわたって横方向に可撓性を有する
ことを特徴とする請求項１に記載の腕輪用留め具。
【請求項８】
請求項１に記載の留め具を備える腕輪を有する
ことを特徴とする腕時計。
【発明の詳細な説明】
【技術分野】
【０００１】
本発明は、腕輪用留め具に関し、特に、腕時計用バンド又はストラップに関する。
【背景技術】
【０００２】
米国特許ＵＳ１８３２７３４から、移動距離の軸がカバーのヒンジ軸と一致しないようなカバー及び２つの押し部品を有する留め具が知られている。しかし、これは、単一の押し部品に圧力を加え、同時に押し部品とは反対側のカバーの一方の側に圧力を加えることによって、留め具を開く。
【０００３】
また、欧州特許ＥＰ０９１３１０６から、２つのサイドメンバーを備える剛性が高い基礎と、腕輪ストランドに取り付けられるように構成するカバーと、及び第１のヒンジによって基礎の一端に取り付けられた後端及び第２のヒンジによってカバーに取り付けられた前端を有する少なくとも１つの折り畳み用のアームとを有する折り畳み式の留め具が知られている。折り畳み用のアームは、押し部品を備える２つの並置されたブランチを有し、これらのブランチの前方端は、弾性要素によって離れて保持される。このような留め具には、前記と同じ課題がある。すなわち、カバーの遊びが大きすぎ、単一の押し部品と、この押し部品とは反対側のカバーの一方の側とに同時に圧力を加えると留め具が開いてしまう。
【発明の概要】
【発明が解決しようとする課題】
【０００４】
本発明は、安全性についての要求事項を満たし、容易に開くことを防ぐことができるような留め具を提供することによって、前記課題のすべて又は一部を克服することを目的とする。
【０００５】
また、本発明は、生産が単純で経済的であるような留め具を提供することを目的とする。
【課題を解決するための手段】
【０００６】
このために、本発明は、剛体である第１の細長部品と、第１及び第２の押し部品と、ロック機構と、及び安全機構とを有する腕輪用留め具に関し、
前記第１の細長部品の第１の端は、折り畳み用の第２の細長部品の第１の端にヒンジ付けされており、前記第２の細長部品は、その第２の端において第１の腕輪ストランドを受けるように構成しており、
前記第１の細長部品の第２の端は、折り畳み用の第３の細長部品の第１の端にヒンジ付けされており、
この第１の端から前記第３の細長部品の第１及び第２のブランチが延在し、これらの第１及び第２のブランチの自由端には、アーバーが横断しており、
この第１及び第２のブランチには、第１及び第２のフラップを備えるカバーがヒンジ付けされており、この第１及び第２のフラップは、前記カバーが覆う方向及び第２の腕輪ストランドを保持する手段に対して垂直に延在し、
前記第３の細長部品は、当該留め具が閉位置にあるときに、前記第２の細長部品の前記第２の端を部分的に覆い、
前記第１及び第２の押し部品は、前記第１及び第２のブランチと一体化されており、
前記ロック機構は、前記押し部品に圧力が同時にかけられなければ、前記第１の細長部品上でロックされている前記第３の細長部品をロックされたまま保持するように構成し、
前記安全機構は、前記押し部品の一方と、この押し部品とは反対側の前記カバーの一方のフラップとの両方に同時に圧力がかけられたときに、当該留め具が外れるような前記カバーの横方向の運動を防ぐ。
【０００７】
本発明によると、安全機構は、第２の細長部品によって支えられ、カバーのフラップの間で受けられるスペーサーを有し、スペーサーの両端は、カバーのフラップに当接する。これによって、押し部品と、この押し部品とは反対側のカバーのフラップとの両方に圧力が同時にかけられた場合に、留め具を開けさせるようなカバーの横方向の運動を防ぐ。
【０００８】
これらの特徴の結果、このような留め具は、窃盗に対する安全対策を改善することができ、安全機構によって、押し部品と、押し部品とは反対側のカバーのフラップとの両方に圧力が同時にかけられた場合に、留め具を開けさせるようなカバーの横方向の運動を防ぐ。
【０００９】
本発明の他の有利な変種によると、
−  スペーサーは、第２の細長部品によって支えられる。
−  スペーサーは、第２の細長部品の第２の端に固定される。
−  スペーサーは、第１の腕輪ストランドに対するアンカー点として用いられる。
−  留め具は、当該留め具が閉位置にあるときに、第１の細長部品に対してロックされる第２の細長部品を保持するロック手段を有する。
−  ロック機構は、第１の細長部品と一体化されている第１のキャッチ対と、第３の細長部品と一体化されている第２のキャッチ対とを有する。
−  第２のキャッチ対は、両方のブランチと一体化されている。
−  両方のブランチは、その長さのすべて又は一部にわたって横方向（両方のブランチの間の方向）に可撓性を有する。
【００１０】
本発明は、さらに、本発明に係る留め具を備える腕輪を有する腕時計に関する。
【００１１】
本発明の特定の実施形態についての以下の説明及び添付図面によって（単に例であって、これに制限されない）、本発明の他の特徴及び利点をより明確に理解することができるであろう。
【図面の簡単な説明】
【００１２】
【図１】本発明に係る留め具の斜視図である。
【図２】本発明に係る留め具の上面図である。
【図３】本発明に係る留め具の下面図である。
【図４】本発明に係る留め具の側面図である。
【図５】本発明に係る留め具の分解図である。
【発明を実施するための形態】
【００１３】
以下、図１、２、３、４及び５を同時に参照して、腕輪用留め具を説明する。
【００１４】
図１及び５は、腕輪用留め具の斜視図である。これは、剛体である第１の細長部品１を有し、これには、ブリッジによって互いに接続された２つのサイドメンバー１ａ及び１ｂが設けられている。この細長部品の第１の端１０は、折り畳み用の第２の細長部品２の第１の端２０にアーバー１２によってヒンジ付けされている。この第２の細長部品２は、その第２の端２１で第１の腕輪ストランドをアーバー２３によって受けるように構成する。
【００１５】
第１の細長部品１の他方の端１１は、折り畳み用の第３の細長部品３の第１の端３０にヒンジ付けされている。第３の細長部品３は、留め具が閉位置にあるときに、第２の細長部品２の第２の端２１を部分的にカバーする。
【００１６】
第１及び第２のブランチ３２、３３は、相対位置関係を保ちながら動くことができ、第３の細長部品３の第１の端３０から延在している。本発明の変種の１つ（図示せず）によれば、第１の細長部品１は、固体であり、ブランチ３２及び３３を受けるように構成するロック手段を有する受け部を有することができる。
【００１７】
また、当該留め具は、カバー４を有し、これは、ブランチ３２及び３３にヒンジ付けされており、カバー４に対して垂直に延在する第１及び第２のフラップ４０、４１が設けられている。フラップ４０、４１は、穴４２、４３を有し、これは、ブランチ３２及び３３と、カバー４との間にヒンジが形成されるように、アーバー４４の端を受けるように構成する。
【００１８】
カバー４は、第２の腕輪ストランドを保持する手段を有することができる。これは、例えば、図に示すようなピン４５であることができ、あるいは棒状体であることができる。これによって、第２の腕輪ストランドの開始点を定めることができる。また、図３及び５は、第１及び第２のブランチ３２及び３３と一体化されている第１及び第２の押し部品３２０及び３３０を示している。図１〜５に示す実施形態によれば、押し部品３２０及び３３０は、ブランチ３２及び３３を横断するアーバー４４と軸が合うように配置されてはおらず、軸がずれているように配置されている。別の実施形態によると、押し部品３２０及び３３０は、アーバー４４と軸が合うようにすることができる。
【００１９】
ロック機構は、押し部品３２０及び３３０に同時に圧力がかけられていないときには、第３の細長部品３が第１の細長部品１にロックされるように第３の細長部品３を保持するように、構成するこのために、第１の細長部品１のサイドメンバー１ａ及び１ｂはそれぞれ、固定されたキャッチ１４及び１５を有し、これらはそれぞれ、ブランチ３２及び３３上に配置されたキャッチ３４及び３５と連係するように構成する。このキャッチの構成を図３において観察することができる。
【００２０】
本発明によると、当該留め具は、安全機構を有する。これは、押し部品３２０又は３３０の一方と、この押し部品とは反対側のカバー４のフラップ４０又は４１とに圧力が同時にかけられたときに留め具を不用意に外してしまうような、カバー３の横方向の運動を防ぐ。
【００２１】
図において観察することができるように、実際の安全機構は、第２の細長部品２の第２の端２１に配置されたスペーサー２３の形態である。このスペーサー２３は、留め具が閉位置にあるときには、カバー４のフラップ４０及び４１の間で受けられる。
【００２２】
以下、安全機構の動作について説明する。
【００２３】
図３では、押し部品３２０及び３３０は作動しておらず、留め具のロックは、サイドメンバー１ａ及び１ｂのキャッチ１４及び１５がブランチ３２及び３３のキャッチ３４及び３５とそれぞれ連係するように示している。
【００２４】
図２におけるように、留め具が折り畳まられる際には、カバー４のフラップ４０又は４１の一方に圧力がかけられると、スペーサー２３の各端はそれぞれ、カバー４の各フラップ４０、４１に当接する。これによって、フラップ４０及び４１の変形をいずれも防ぐ。
【００２５】
押し部品３２０と、カバー４のフラップ４１とに同時に同じ圧力がかけられても、安全機構が備えられているために留め具は外れない。閉位置では、スペーサー２３は、カバー４のフラップ４０、４１の内壁に当接する。なお、スペーサー２３が存在しなかった場合は、カバー４のフラップ４１にかけられた圧力によって、フラップ４１がブランチ３３に対して運動することになり、これによって、キャッチ１５及び３３が解放されてしまう。他方の押し部品３２１が作動してカバー４の他方のフラップ４０に圧力がかけられた場合にも、同じ状況が発生してしまう。
【００２６】
結論として、留め具を開くためには、両方の押し部品に同時に圧力をかける必要があり、カバーに圧力が与えられても影響を受けないようにしなければならない。押し部品３２０及び３３０が作動すると、ブランチ３２及び３３のキャッチ３４及び３５は、サイドメンバー１ａ及び１ｂのキャッチ１４及び１５から解放され、これによって、第３の細長部品３が解放され、留め具が開かれる。
【００２７】
もちろん、本発明は、図示した例に制限されず、当業者が思い描くことができる様々な改変を行うことができる。
【符号の説明】
【００２８】
１  第１の細長部品
１０  第１の細長部品の第１の端
１１  第１の細長部品の第２の端
１２  アーバー
１３  アーバー
１４、１５  第１のキャッチ対
２  第２の細長部品
２０  第２の細長部品の第１の端
２１  第２の細長部品の第２の端
２３  スペーサー
３  第３の細長部品
３０  第３の細長部品の第１の端
３１  第３の細長部品の第２の端
３２、３３  ブランチ
３４、３５  第２のキャッチ対
３２０、３３０  押し部品
４  カバー
４０、４１  カバーフラップ
４２、４３  穴
４４  アーバー
４５  ピン
【図１】
2016083352.tif 000003
【図２】
2016083352.tif 000004
【図３】
2016083352.tif 000005
【図４】
2016083352.tif 000006
【図５】
2016083352.tif 000007